(57)【要約】【課題】  原稿を原稿台ガラスに押圧するための原稿圧板を開く時に、原稿圧板をスムーズ、かつ、容易に持ち上げることの出来る原稿押さえ装置を提供すること。【解決手段】  原稿台ガラスと、当該原稿台ガラス面上に載置された原稿を押圧する原稿圧板とを有する原稿押さえ装置において、前記原稿圧板の原稿への押圧を解除する時に前記原稿圧板と前記原稿台ガラスとの密着を解除する密着解除部材を、前記原稿圧板と前記原稿台ガラスとの間に設けたことを特徴とする原稿押さえ装置。【選択図】        図３
2006067051.tif 000002
【特許請求の範囲】
【請求項１】
原稿台ガラスと、当該原稿台ガラス面上に載置された原稿を押圧する原稿圧板とを有する原稿押さえ装置において、
前記原稿圧板の原稿への押圧を解除する時に前記原稿圧板と前記原稿台ガラスとの密着を解除する密着解除部材を、前記原稿圧板と前記原稿台ガラスとの間に設けたことを特徴とする原稿押さえ装置。
【請求項２】
前記原稿圧板は、本体基板と、原稿を前記原稿台ガラス面上に圧接させるための圧接シート部材と、前記本体基板と前記圧接シート部材との間に設けた弾性部材とを有することを特徴とする請求項１に記載の原稿押さえ装置。
【請求項３】
前記密着解除部材は、前記圧接シート部材の少なくとも一辺の辺縁部に設けた凸状部材であることを特徴とする請求項２に記載の原稿押さえ装置。
【請求項４】
前記原稿圧板は、前記原稿台ガラスに載置された原稿を押圧する閉位置と、原稿の押圧を解除する開位置とを、支軸を中心に回動可能であり、
前記凸状部材を、前記圧接シート部材の前記支軸と反対側の辺縁部に設けたことを特徴とする請求項３に記載の原稿押さえ装置。
【請求項５】
前記凸状部材は短冊状シート部材であることを特徴とする請求項３又は請求項４に記載の原稿押さえ装置。
【請求項６】
請求項１から請求項５のいずれか１項に記載の原稿押さえ装置を有し、前記原稿台ガラス上の原稿を読み取ることを特徴とする画像読み取り装置。
【発明の詳細な説明】
【技術分野】
【０００１】
本発明は、複写機、イメージスキャナー等の画像形成装置において、原稿を読み取るために原稿台ガラス上に載置された原稿を押さえるための原稿押さえ装置、及び、当該原稿押さえ装置を備えた画像読み取り装置に関する。
【背景技術】
【０００２】
近年、複写機、イメージスキャナー等の画像形成装置においては、画質への要求が高まり、当該画像形成装置の原稿読み取り部においては、カールを有していたり、或いは、冊子を開いた状態の原稿を忠実に読み取るために原稿を原稿台ガラスへ密着させる動きが見られる。
【０００３】
このように、原稿を原稿台に密着させる方法として、以下のような技術が提案されている。
【０００４】
即ち、原稿を載置するコンタクトガラス（原稿台ガラス）を有する装置本体と、コンタクトガラス面上に載置された原稿を押圧する閉位置と、押圧を解除する開位置とに変位可能な原稿圧板と、原稿をコンタクトガラス面上に圧接させるための圧接シート部材とを有し、圧接シート部材をコンタクトガラスに倣う可撓性を有する樹脂シートで構成し、圧接シート部材と原稿圧板との間の複数箇所に弾性部材を配置する原稿押さえ装置であり、この装置を用いることにより、原稿の浮きを防止し、コンタクトガラスとの密着性を向上させるものである（例えば、特許文献１参照）。
【特許文献１】特開２００１−２２０１０号公報
【発明の開示】
【発明が解決しようとする課題】
【０００５】
しかしながら、特許文献１に記載された構成では、例えば、原稿をコンタクトガラスに載置しようとして原稿圧板を持ち上げた時に、圧接シート部材とコンタクトガラスとの密着性が向上したために、コンタクトガラスを持ち上げてしまう現象が発生する。
【０００６】
このため、操作者が無用な力を必要としたり、場合によっては、原稿圧板を持ち上げるために形成された把手部を破損させる恐れがある。
【０００７】
本発明は、上述した問題に鑑みてなされたもので、その目的は、簡単な構成で、原稿圧板を閉位置から開位置に移動する時に、圧接シート部材とコンタクトガラスとの密着を解除して、原稿圧板をスムーズ、かつ、容易に持ち上げることの出来る原稿押さえ装置を提供することにある。
【課題を解決するための手段】
【０００８】
本発明の目的は、下記の構成により達成することができる。
【０００９】
（１）原稿台ガラスと、当該原稿台ガラス面上に載置された原稿を押圧する原稿圧板とを有する原稿押さえ装置において、前記原稿圧板の原稿への押圧を解除する時に前記原稿圧板と前記原稿台ガラスとの密着を解除する密着解除部材を、前記原稿圧板と前記原稿台ガラスとの間に設けたことを特徴とする原稿押さえ装置。
【００１０】
（２）前記原稿圧板は、本体基板と、原稿を前記原稿台ガラス面上に圧接させるための圧接シート部材と、前記本体基板と前記圧接シート部材との間に設けた弾性部材とを有することを特徴とする前記（１）に記載の原稿押さえ装置。
【００１１】
（３）前記密着解除部材は、前記圧接シート部材の少なくとも一辺の辺縁部に設けた凸状部材であることを特徴とする前記（２）に記載の原稿押さえ装置。
【００１２】
（４）前記原稿圧板は、前記原稿台ガラスに載置された原稿を押圧する閉位置と、原稿の押圧を解除する開位置とを、支軸を中心に回動可能であり、前記凸状部材を、前記圧接シート部材の前記支軸と反対側の辺縁部に設けたことを特徴とする前記（３）に記載の原稿押さえ装置。
【００１３】
（５）前記凸状部材は短冊状シート部材であることを特徴とする前記（３）又は前記（４）に記載の原稿押さえ装置。
【００１４】
（６）前記（１）から前記（５）のいずれか１項に記載の原稿押さえ装置を有し、前記原稿台ガラス上の原稿を読み取ることを特徴とする画像読み取り装置。
【発明の効果】
【００１５】
請求項１の発明によれば、原稿台ガラスと、当該原稿台ガラス面上に載置された原稿を押圧する原稿圧板とを有する原稿押さえ装置において、前記原稿圧板の原稿への押圧を解除する時に前記原稿圧板と前記原稿台ガラスとの密着を解除する密着解除部材を、前記原稿圧板と前記原稿台ガラスとの間に設けることにより、原稿圧板の押圧を解除する時に、原稿圧板の原稿台ガラスへの密着を解除することができるため、原稿圧板の自重以外の無用な力を必要とすることなく、原稿圧板を移動させることが出来る。
【００１６】
特に、自重がある自動原稿送り装置と兼用化された原稿押さえ装置を搭載した画像形成装置を長時間使用しない状態で放置すると、原稿圧板と原稿台ガラスとの密着度合いが強化されてしまうが、密着解除部材が原稿圧板と原稿台ガラスとの間に設けることにより、原稿圧板と原稿台ガラスとの密着を解除することができるため、原稿圧板をスムーズ、かつ、容易に持ち上げることが出来る。また、原稿圧板を持ち上げるために形成された把手部の破損を防止することが出来る。
【００１７】
請求項２の発明によれば、前記原稿圧板が、本体基板と、原稿を前記原稿台ガラス面上に圧接させるための圧接シート部材と、前記本体基板と前記圧接シート部材との間に設けた弾性部材とを有することにより、カールのあるような原稿でも均一に押さえることが出来ると共に、原稿圧板をスムーズ、かつ、容易に持ち上げることが出来る。
【００１８】
請求項３の発明によれば、前記密着解除部材を、前記圧接シート部材の少なくとも一辺の辺縁部に設けた凸状部材で形成することにより、原稿読み取りに影響を与えることなく、かつ、圧接シート部材と原稿台ガラスとの密着を確実に解除することが出来る。
【００１９】
請求項４の発明によれば、前記原稿圧板は、前記原稿台ガラスに載置された原稿を押圧する閉位置と、原稿の押圧を解除する開位置とを、支軸を中心に回動可能であり、前記凸状部材を、前記圧接シート部材の前記支軸と反対側の辺縁部に設けることにより、原稿圧板をスムーズに開閉できるとともに、開く時に効率よく圧接シート部材と原稿台ガラスとの密着を解除することが出来る。
【００２０】
請求項５の発明によれば、前記凸状部材を短冊状シート部材とすることにより、圧接シート部材を簡単な部材で形成することが出来る。
【００２１】
請求項６の発明によれば、請求項１から請求項５のいずれか１項に記載の原稿押さえ装置を有する、前記原稿台ガラス上の原稿を読み取るための画像読み取り装置を使用することにより、信頼性の高い画像読み取り装置を提供することが出来る。
【発明を実施するための最良の形態】
【００２２】
以下、本発明の実施の形態の一例を説明する。なお、以下の実施の形態における断定的な説明は、ベストモードを示すものであって、本発明の用語の意義や技術的範囲を限定するものではない。
【００２３】
まず、本発明に係わる原稿押さえ装置を備えた画像形成装置の実施の形態の一例を図１を用いて説明する。
【００２４】
図１はデジタル式複写機からなる画像形成装置の構成を示す模式図である。
【００２５】
本実施の形態の画像形成装置は電子写真方式を利用してトナー画像を転写材上に形成するもので、手動操作で画像形成を行うための原稿押さえ装置を兼ねている自動原稿送り装置１、画像読み取り装置２、画像形成部３、転写材収納部４、給紙部５、反転排紙・再給紙部６、および反転搬送部８を有している。
【００２６】
自動原稿送り装置１は、可倒式に構成されており、この自動原稿送り装置１を起こして原稿台ガラス２２上を開放し、原稿台ガラス２２上に原稿ｄを直接載置して複写を行うこともできるように構成してある。
【００２７】
また、原稿ｄを自動送りしながら読み取るためには、原稿載置台１１上に載置された複数枚の原稿ｄを、原稿分離手段１２によって１枚づつ分離し、原稿搬送手段１３によって画像読取位置に向けて搬送する。
【００２８】
画像読取位置は原稿搬送手段１３の下方部に設けられており、画像読み取り装置２のスリット２１を通して原稿ｄの画像が読み取られるようになっている。
【００２９】
画像読み取り装置２は、原稿ｄの画像を読み取って画像データを得るための装置であり、原稿台ガラス２２、あるいはスリット２１を介して原稿ｄを照射するランプ２３１と原稿ｄからの反射光を反射させる第１ミラー２３２とを一体化した第１ミラーユニット２３と、第１ミラー２３２からの光を反射させる第２ミラー２４１と第３ミラー２４２とを一体化してなる第２ミラーユニット２４と、第２ミラーユニット２４からの反射光を、撮像素子であるＣＣＤに結像させる結像レンズ２５、および、結像レンズ２５によって結像された光像を光電変換するライン状のＣＣＤ２６を有する。
【００３０】
光電変換されたアナログ信号は、アナログ処理後にＡ／Ｄ変換され、適宜の画像処理を施された後、画像データとして制御手段（不図示）のメモリに蓄積される。
【００３１】
なお、原稿台ガラス２２上に載置された原稿ｄの画像の読み取りは、第１ミラーユニット２３と第２ミラーユニット２４とを、所定の光路長を保ちながら、原稿台ガラス２２の下面側に沿って移動させることにより行う。
【００３２】
また、自動原稿送り装置１によって送られる原稿ｄを画像読み取り装置２で読み取る態様においては、第１ミラーユニット２３、および、第２ミラーユニット２４は、図示位置に固定される。
【００３３】
画像形成部３は、像担持体としての光導電性感光層を表面に有する感光体ドラム３１、感光体ドラム３１の表面を一様帯電させる帯電電極を含む帯電器３２、画像処理後の画像データに基いて作動され、感光体ドラム３１上を露光して静電荷潜像を形成するための露光手段であるレーザ書込手段３３、感光体ドラム３１上に形成される静電荷潜像を反転現像してトナー像となす現像装置３４、前記トナー像を普通紙等からなる転写材上に転写せしめる転写電極を含む転写手段３５、感光体ドラム３１上からの転写材の分離を促進する分離手段３６、および、転写工程終了後の前記感光体ドラム３１を清掃するためのクリーニング手段３７等を有する。
【００３４】
３８は分離後の転写材を、定着装置９に向けて搬送する搬送ベルト、６３は排紙ローラである。
【００３５】
上記構成による画像形成は、適宜の駆動手段によって矢示の方向に回転する感光体ドラム３１を帯電器３２により順次帯電した後、レーザ書込手段３３によるドット露光で原稿画像に対応した静電荷潜像を形成し、現像器３４を用いて接触現像もしくは非接触現像により前記静電荷潜像をトナー像となし、その後、レジストローラ５６の回転開始により、給紙トレイ４００、４１０、４２０の何れかから給送される転写材上に、前記転写器３５の作用を介して転写させることで達成される。
【００３６】
転写後の転写材は分離手段３６の作用により前記感光体ドラム３１上から分離され、前記定着装置９の加熱・加圧作用を受けた後、機外に排出される。
【００３７】
一方、転写領域を通過した感光体ドラム３１は更に回転を続け、クリーニング手段３７によって残留トナーが除去されて次の画像形成への準備がなされる。
【００３８】
次に、本発明に係わる原稿押さえ装置について説明するが、前述したように、本実施の形態においては、原稿押さえ装置は可倒式の自動原稿送り装置１を兼ねており、以下の説明では、自動原稿送り装置に変えて原稿押さえ装置として説明する。
【００３９】
先ず、図２を用いて原稿押さえ装置１の概略構成について説明する。
【００４０】
図２（ａ）は原稿押さえ装置の開閉機構を説明するための概略断面図である。
【００４１】
図２（ｂ）は図２（ａ）のＡ−Ａの概略断面図である。
【００４２】
なお、図２においては、既に説明した原稿ｄを自動で送り出すための機構については省略してある。
【００４３】
原稿押さえ装置１は、原稿載置台１１、原稿分離手段１２、原稿搬送手段１３、原稿を押圧するための原稿圧板１０１、及び、原稿台ガラス２２等により構成されている。
【００４４】
原稿圧板１０１は、本体基板１０２、原稿台ガラス２２上に載置された原稿ｄを圧接するための圧接シート部材１０３、本体基板１０２と圧接シート部材１０３との間に設けた弾性部材１０４等で構成されている。
【００４５】
本体基板１０２は、原稿押さえ装置１の本体（参照符号なし）に固定されており、画像形成装置の本体（参照符号なし）に設けた支軸Ｃを中心に、原稿台ガラス２２に載置された原稿ｄを押圧する閉位置と、原稿の押圧を解除する開位置とを回動する。
【００４６】
原稿圧板１０１の回動は、操作者により原稿押さえ装置１の把手部１Ａを掴んで上下することにより行われる。
【００４７】
本体基板１０２はＡＢＳ樹脂等の成型部品であり、圧接シート部材１０３は四角形のＰＥＴ、塩ビ、ＡＢＳ、ポリカーボネイト等の樹脂シート等で、原稿台ガラス２２と概略同じ大きさを有する。
【００４８】
また、弾性部材１０４は、ウレタン、スチレン等のスポンジ部材を使用し、カールのあるような原稿を出来るだけ原稿台ガラス２２に密着させる機能を有している。
【００４９】
次に、本発明の特徴である、原稿圧板１０１の原稿ｄへの押圧を解除する時に原稿圧板１０１と原稿台ガラス２２との密着を解除する密着解除部材について図３を用いて説明する。
【００５０】
図３（ａ）は図２（ｂ）の原稿圧板１０１の拡大断面図、図３（ｂ）は図３（ａ）の平面図である。
【００５１】
図において、１０５は、圧接シート部材１０３と同様にＰＥＴ、塩ビ、ＡＢＳ、ポリカーボネイト等の樹脂シート等からなる短冊状の密着解除部材であり、圧接シート部材１０３の支軸Ｃの反対側の辺縁部に両面テープ等により貼付されている。
【００５２】
図３（ｂ）に示すように、密着解除部材１０５は、原稿台ガラス２２上に載置される原稿ｄよりも外側の位置で、かつ、支軸Ｃの軸方向にみて、圧接シート部材１０３の辺縁部の３箇所に間隔を持って貼付されている。
【００５３】
このように構成することにより、原稿圧板１０１を支軸Ｃを中心に、原稿台ガラス２２に載置された原稿ｄを押圧する閉位置から、原稿ｄの押圧を解除する開位置に回動させる時に、３つの密着解除部材１０５の間の隙間や、密着解除部材１０５が僅かに持ち上げられることにより発生する密着解除部材１０５と原稿台ガラス２２との隙間から、密着状態にある圧接シート部材１０３と原稿台ガラス２２との間に空気が入り込み、両者の密着状態が解除され、無用な力を必要とすることなく、また、把手部１Ａを破損させることなく持ち上げることが出来る。
【００５４】
なお、本実施の形態以外に、例えば、原稿圧板１０１、密着解除部材１０５は以下に述べるように構成しても良い。
【００５５】
原稿圧板１０１は、例えば、既知の昇降手段を用いて上下方向に開閉しても良い。
【００５６】
密着解除部材１０５は、一枚の短冊状シート部材でもよくまた、圧接シート部材１０３の他の辺の辺縁部に設けてもよい。
【００５７】
密着解除部材１０５は、密着を解除するものであれば、凸状の短冊状シート部材でなくても良い。
【００５８】
更に、密着解除部材１０５は原稿台ガラス２２上、又は、画像形成装置の本体に設けることも可能である。
【００５９】
また、本実施の形態においては、原稿押さえ装置は自動原稿送り装置と一体に構成されているが、原稿押さえ装置は単独で構成することも可能である。
【図面の簡単な説明】
【００６０】
【図１】デジタル式複写機からなる画像形成装置の構成を示す模式図。
【図２】原稿押さえ装置の開閉機構を説明するための概略断面図。
【図３】原稿圧板１０１の拡大断面図、及び、その平面図。
【符号の説明】
【００６１】
１  原稿押さえ装置
２２  原稿台ガラス
１０１  原稿圧板
１０２  本体基板
１０３  圧接シート部材
１０４  弾性部材
１０５  密着解除部材
Ｃ  支軸
【図１】
2006067051.tif 000003
【図２】
2006067051.tif 000004
【図３】
2006067051.tif 000005